(57)【特許請求の範囲】
【請求項１】
乗用自動車の後席前方の床面足留り部に床下ピットを設け、この床下ピット内に、トンネル部が中央に形成されており、前記トンネル部の両側に小荷物等を収納可能とした空間部が形成されているボックスを設置し、前記ボックスの上面に閉じた状態では床面と同一平面となるよう前記ボックスの上面を開閉する蓋体が取り付けられており、前記ボックス内の両側に一対の支持パイプを上向きに固設し、２つに折り畳み状態で互いに対向する凹部により空間が形成される２つに折り畳みおよび展開可能なテーブルとなる２枚の天板と、この２枚の天板の一方の凹部の左右に上端が枢着され前記凹部内に折り畳み収納される左右一対の支持脚と、前記２枚の天板の他方の凹部の左右に上端が枢着され前記凹部に折り畳み収納される左右一対のステーとを備え、前記それぞれの支持脚に前記ステーの下端を嵌脱可能に支持する受け部材が固着されており、前記各凹部内に支持脚とステーを収納して２つに折り畳みした天板を前記ボックス内の前記トンネル部上に収納し、また、前記天板を展開し、支持脚とステーを起立してステーを受け部材に支持させ前記支持脚の下端を前記ボックス内の支持パイプに差し込み支持して床面の上方でテーブル状態とするようにしたことを特徴とする自動車用室内テーブル。
【発明の詳細な説明】
【０００１】
【発明の属する技術分野】
本発明は、後席前方の足留り部床面下に収納可能な自動車用室内テーブルに関するものである。
【０００２】
【従来の技術】
従来の自動車用室内テーブルは、バン型乗用自動車において図９で示すように、車室内の後方床面にスライドレール３２を敷設し、テーブル３０の下端に設けたベースプレート３１を前記スライドレール３２に摺動可能に案内させ、ボルトによって所定位置に固定するようにしたものが提供されている。また、図１０で示すように、前席の背もたれ３３にテーブル３６を手前に回転引き出し可能に格納したテーブルユニット３５をヘッドレストの脚３４を利用して固定したものも提供されている。
【０００３】
【発明が解決しようとする課題】
上記図９で示す構造のテーブルは使用しない時でも床面上に存在してスペースを占めており邪魔になると共に、セダンタイプの乗用自動車には適用することはできない。また、上記図１０で示す構造のテーブルは乗用自動車に適用することはできるが、テーブルの面積が小さい。さらに、後席着座者が手荷物等を持ち込んだときに、それを座席上や床面上に置くと、これも邪魔になり座席や床面の居住スペースが狭くなって居住性を悪くする。
【０００４】
本発明の目的は、後席前方の床面上で邪魔にならないよう後席前方の床面下に収納を可能とした自動車用室内テーブルを提供することである。
【０００５】
【課題を解決するための手段】
上記の目的を達成するための本発明は、乗用自動車の後席前方の床面足留り部に床下ピットを設け、この床下ピット内に、トンネル部が中央に形成されており、前記トンネル部の両側に小荷物等を収納可能とした空間部が形成されているボックスを設置し、前記ボックスの上面に閉じた状態では床面と同一平面となるよう前記ボックスの上面を開閉する蓋体が取り付けられており、前記ボックス内の両側に一対の支持パイプを上向きに固設し、２つに折り畳み状態で互いに対向する凹部により空間が形成される２つに折り畳みおよび展開可能なテーブルとなる２枚の天板と、この２枚の天板の一方の凹部の左右に上端が枢着され前記凹部内に折り畳み収納される左右一対の支持脚と、前記２枚の天板の他方の凹部の左右に上端が枢着され前記凹部に折り畳み収納される左右一対のステーとを備え、前記それぞれの支持脚に前記ステーの下端を嵌脱可能に支持する受け部材が固着されており、前記各凹部内に支持脚とステーを収納して２つに折り畳みした天板を前記ボックス内の前記トンネル部上に収納し、また、前記天板を展開し、支持脚とステーを起立してステーを受け部材に支持させ前記支持脚の下端を前記ボックス内の支持パイプに差し込み支持して床面の上方でテーブル状態とするようにしたことを特徴とするものである。
【０００６】
【発明の実施の形態】
本発明の実施の形態を図面に基づいて説明する。図１において、１は後席であり、２は後席前方の床面である。この床面２の足留り部に開口部３を有する床下ピット４を形成し、前記床下ピット４内にボックス５が設置されている。このボックス５の上面には蓋体６が開閉可能に取付らており、この蓋体６は閉じた状態では床面２と略同一平面となるよう設定されている。
【０００７】
前記ボックス５内の両側には後述する一対の支持パイプが上向きに固設されており、２つに折り畳みおよび展開可能な２枚の天板８ａ，８ｂを展開した状態のテーブル８を前記支持パイプに左右一対の支持脚７を差し込み支持し、この支持脚７とステー９とによって前記テーブル８を後席１の前方の床面２の足留り部の上方にセット可能とし、かつ前記支持脚７やステー９を２つに折り畳んだ２枚の天板８ａ，８ｂの間に形成される空間をに折り畳み収納して前記床面２の下のボックス５内に収納可能にするものである。
【０００８】
さらに、具体的な構成を図２以下図８によって説明する。図２で示すように、前記ボックス５内には、その横幅方向の中央に車体の下面に前後方向に延在している推進軸を避けるためのトンネル部１７が形成されている。このボックス５内の両側にはブラケット１３を介して後述するテーブル８を支持するための支持脚７が嵌脱される一対の支持パイプ１４が上向きに固設されており、この支持パイプ１４には締め付けねじ１５が設けられている。
【０００９】
前記テーブル８はヒンジ１０により２つに折り畳みおよび展開可能な２枚の前天板８ａと後天板８ｂによって構成され、図３で示すように、前天板８ａの裏面には凹部１１ａ，１１ｂが、また後天板８ｂの裏面にも、２つに折り畳み状態で前記前天板８ａの凹部１１ａ，１１ｂと互いに対向する凹部１２ａ，１２ｂが形成されており、２枚の天板８ａ，８ｂを折り畳んだときに前記凹部１１ａ，１１ｂおよび１２ａ，１２ｂによって、和菓子の最中の殻のように空間が形成されるようになっている。
【００１０】
図２および図６で示すように、前記前天板８ａの凹部１１ａの左側端内には一方の支持脚７の上端がブラケット１８を介してヒンジ１９により起立および凹部１１ａ内に収納可能に枢着され、また、前記前天板８ａの凹部１１ｂの右側端内には，他方の支持脚７の上端がブラケット１８を介してヒンジ１９により起立および凹部１１ｂ内に収納可能に枢着されている。従って、上記２本の支持脚７は、その下端を互い違いに向けて前天板８ａの凹部１１ａ，１１ｂ内に折り畳み収納される。
【００１１】
さらに、前記後天板８ｂの裏面の左右端には２本のステー９のそれぞれ上端が図６および図７で示すように、ブラケット２０を介してヒンジ２１により起立および収納可能に枢着されている。従って、この２本のステー９も、その下端を互い違いに向けて後天板８ｂの裏面に収納される。
【００１２】
また、前記それぞれの支持脚７には図２および図８で示すように、前記ステー９の下端を嵌脱可能に支持する受け部材１６が固着されている。
【００１３】
次に上記構成の動作について説明する。尚、説明の便宜上で後席１の着座者に対するテーブル８の使用状態から説明する。テーブル８の使用状態は図１および図２で示すように、テーブル８は後天板８ｂが前天板８ａに対し展開して平面状になっており、支持脚７がボックス５内の支持パイプ１４に差し込まれ締め付けねじ１５により締め付け固定されている。また、ステー９は支持脚７の固着されている受け部材１６に嵌挿されている。従って、テーブル８は前記左右２本の支持脚７とステー９とによって支持され。前天板８ａと後天板８ｂを展開で広い面積のテーブル８を後席１の着座者の前方に形成する。
【００１４】
上記テーブル８の使用状態からボックス５内に収納するには、支持脚７を支持パイプ１４から抜き取り、ステー９も受け部材１６から抜き取って、支持脚７は前天板８ａの凹部１１ａ，１１ｂ内に折り畳み収納し、ステー９は後天板８ｂの裏面に折り畳み収納する。
【００１５】
しかる後に前天板８ａと後天板８ｂを２つに折り畳んで図４および図５で示すように、ボックス５内に収納する。この２つに折り畳んだ前天板８ａと後天板８ｂのボックス５内の収納は、ボックス５内の中央に形成されているトンネル部１７の上面に載置し、蓋体６を閉じることにより後席１の前方の足留り部の床面２は平面状態の空間が保たれる。
【００１６】
また、前記２つに折り畳んだ前天板８ａと後天板８ｂのボックス５内の中央に形成されているトンネル部１７の上面に載置しすることにより、ボックス５内のトンネル部１７の両側には空間部４０が形成されるので、この空間部４０内にも小荷物等を収納することが可能である。
【００１７】
従って後席着座者が車内においてテーブルを使用したいときには後席１の前方の足留り部の床面２から２つに折り畳んだ前天板８ａと後天板８ｂを取り出して展開し、前天板８ａと後天板８ｂに折り畳み収納されている支持脚７とステー９を起立して前述のように組立セットすることにより容易に面積の広いテーブル８が実現し、不要な場合は後席１の前方の足留り部の床面２の下のボックス５内に収納することができる。さらには、後席着座者が持ち込んだ小荷物等をボックス５に形成されているトンネル部１７の両側の空間部４０内に収納することができる。
【００１８】
【発明の効果】
以上のように本発明によると、後席前方の床面下から容易にテーブルが取り出され、かつ床面下に格納可能とし、この床面下のボックスに形成されているトンネル部の両側の空間部内に後席着座者が持ち込んだ小荷物等を収納することも可能な構成であるから後席前方の床面のスペースが有効に使用され居住性を良好とする。
【００１９】
また、テーブルを支持する支持脚およびステーはテーブルとなる２つに折り畳まれる前天板と後天板とにヒンジによって折り畳み収納および起立可能に枢着された構成であるから、支持脚およびステーは常にテーブルとなる前天板と後天板と一体的に付随しており、バラバラになることがなくテーブルの組立セットやボックス内への収納が容易に得られる利点を有している。
【図面の簡単な説明】
【図１】テーブル使用状態の本発明の概略を示す要部断面側面図
【図２】本発明のテーブル使用状態の斜視図
【図３】図１のＡ部拡大図
【図４】本発明のテーブル収納状態を示す右半分の正面断面図
【図５】本発明のテーブル収納状態を示す側面断面図
【図６】図２のＢ−Ｂ線断面図
【図７】図２のＣ−Ｃ線断面図
【図８】ロック部材の斜視図
【図９】従来のテーブルの説明図
【図１０】従来のテーブルの説明図
【符号の説明】
１   後席
２   床面
３   開口部
４   床下ピット
５   ボックス
６   蓋体
７   支持脚
８   テーブル
８ａ 前天板
８ｂ 後天板
９   ステー
１１ａ 凹部
１１ｂ 凹部
１２ａ 凹部
１２ｂ 凹部
１４   支持パイプ
１５   締め付け捩子
１６   受け部材
４０   空間部
【図１】
0003590699.tif 000002
【図２】
0003590699.tif 000003
【図３】
0003590699.tif 000004
【図５】
0003590699.tif 000005
【図４】
0003590699.tif 000006
【図６】
0003590699.tif 000007
【図７】
0003590699.tif 000008
【図８】
0003590699.tif 000009
【図９】
0003590699.tif 000010
【図１０】
0003590699.tif 000011